(57)【要約】      （修正有）【課題】機種が異なる場合でも、液面検出器の処理液槽への組付けが簡単に行なえ、しかも保守点検も容易に行なえる現像処理装置を提供する。【解決手段】マグネットが内蔵されたフロート６２ａ、６２ｂを、リードスイッチ６４ａ、６４ｂが内蔵されたガイド部材６１に沿って移動させるようにした液面検出器６により、処理液槽５の液面の変化を検出するようにした現像処理装置において、ガイド部材６１を処理液槽５の底壁に一体的に形成すると共に、このガイド部材６１を筒状に形成して、その長さ方向一端部にリードスイッチ６４ａ，６４ｂの挿入口６１ｂを設け、またリードスイッチ６４ａ、６４ｂを基板６６に実装して、この基板６６を介してリードスイッチ６４ａ、６４ｂを前記挿入口６１ｂからガイド部材６１内に装填するように構成し、この基板６６を処理液槽５に止め具６９を介して固定するようにした。【選択図】図３
2005274637.tif 000002
【特許請求の範囲】
【請求項１】
マグネットが内蔵されたフロートを、リードスイッチが内蔵されたガイド部材に沿って移動させるようにした液面検出器により、処理液槽の液面の変化を検出するようにした現像処理装置において、
ガイド部材を処理液槽に一体的に形成すると共にこのガイド部材を筒状に形成して、、その長さ方向一端部にリードスイッチの挿入口を設け、この挿入口を介して前記リードスイッチをガイド部材内に装填するように構成していることを特徴とする現像処理装置。
【請求項２】
リードスイッチが基板に実装されると共に、この基板を処理液槽に止め具を介して固定するようにしていることを特徴とする請求項１に記載の現像処理装置。
【請求項３】
基板には、サーマルスイッチが実装されていることを特徴とする請求項２に記載の現像処理装置。
【発明の詳細な説明】
【技術分野】
【０００１】
本発明は、処理液槽内に貯留する処理液の液面高さを検出するためのフロート式の液面検出器が搭載された現像処理装置に関する。
【背景技術】
【０００２】
一般に、現像処理装置の処理液槽には、処理液槽内に充填される処理液の液面高さを検出するためにフロート式の液面検出器が設けられている。
【０００３】
このフロート式の液面検出器は、基本的には内部にリードスイッチを組み込んだ棒状のガイド部材と、このガイド部材に沿って移動可能に設けられたリング状のフロートとから構成され、処理液槽の液面変化に追随するフロートのガイド部材に対する上下移動により、リードスイッチを介して処理液槽の液面変化を検出するようにしている。
【０００４】
そして以上のフロート式の液面検出器は、処理液槽とは別に1つのユニットに形成されて、処理液槽内の所定位置にその都度、取り付け部材により組付けるようにしている（特許文献１参照）。
【特許文献１】特開２００３−１８６１６４号  ところで、以上のフロート式の液面検出器が搭載される現像処理装置では、機種の違いによって液面検出器の取り付け位置や組み付けるための取り付け部材も異なるので、それだけ部品点数が多くなり、部品等の在庫管理や組付けに手間を要する不具合がある。
【０００５】
また以上の現像処理装置に取り付けられるフロート式の液面検出器にあっては、通常、電気的に動作するリードスイッチ部分が故障し易いものであるが、このリードスイッチ部分が故障した場合でも、従来の液面検出器が搭載された現像処理装置では、液面検出器全体を交換しなければならず、それだけコスト高となる不具合がある。
【発明の開示】
【発明が解決しようとする課題】
【０００６】
本発明は以上の実情に鑑みて開発したものであって、目的とするところは、機種が異なる場合でも、液面検出器の処理液槽への組付けが簡単に行なえ、しかも保守点検も容易に行なえる現像処理装置を提供することにある。
【課題を解決するための手段】
【０００７】
以上の目的を達成するために、請求項１に記載の発明は、マグネットが内蔵されたフロートを、リードスイッチが内蔵されたガイド部材に沿って移動させるようにした液面検出器により、処理液槽の液面の変化を検出するようにした現像処理装置において、
ガイド部材を処理液槽に一体的に形成すると共に、このガイド部材を筒状に形成して、その長さ方向一端部にリードスイッチの挿入口を設け、この挿入口を介して前記リードスイッチをガイド部材内に装填するように構成していることを特徴とするものである。
【０００８】
また請求項２に記載の発明は、請求項１に記載のリードスイッチが基板に実装されると共に、この基板を処理液槽に止め具を介して固定するようにしていることを特徴とするものである。
【０００９】
また請求項３に記載の発明は、請求項２に記載の基板には、サーマルスイッチが実装されていることを特徴とするものである。
【発明の効果】
【００１０】
請求項１に記載の発明によれば、液面検出器を構成するガイド部材が処理液槽に一体的に形成されているので、液面検出器の処理液槽への取り付けに際してはリードスイッチ及びフロートをガイド部材に装填するだけでよく、従って、液面検出器の処理液槽への取り付けが簡単に行なえるし、従来のように機種ごとに取り付け部材を用意する必要も無く、それだけ部品点数が少なくなって、部品等の在庫管理が行い易くなる。
【００１１】
請求項２に記載の発明によれば、ガイド部材内に装填されるリードスイッチが基板に実装され、この基板を処理液槽に止め具を介して固定するようにしたので、請求項１に記載の発明の効果に加え、リードスイッチのガイド部材への装填がより一層簡単に行なうことが出来る。
【００１２】
また請求項３に記載の発明によれば、請求項２に記載の発明の効果に加え、サーマルスイッチのガイド部材への装填が簡単に行なえて、処理液の温度をも容易に検出することが出来る。
【発明を実施するための最良の形態】
【００１３】
図１はフィルムＦを現像処理するための写真現像処理装置を概略的に示したものであって、このフィルム現像処理装置１は、ハウジング１０内に、現像処理室１１と、この現像処理室１１の下流側に隣接する乾燥処理室１２と、現像処理室１１の上流側に隣接するフィルム装填室１３とが設けられている。
【００１４】
フィルム装填室１３には、撮影済みのフィルムＦを装填するフィルム装填部２が搭載され、現像処理室１１には、フィルム装填部２から繰り出されるフィルムＦを現像処理するための現像処理部３が搭載され、更に乾燥処理室１２には、現像処理部３で現像処理されたフィルムＦを乾燥処理するための乾燥処理部４が搭載されている。
またハウジング１の上方には、乾燥処理部４で乾燥したフィルム２を一時的に保存するためのフィルム保存部４０が設けられている。
【００１５】
現像処理部３には、現像，漂白，定着，安定化の処理を順次行なうため、現像液、漂白液、定着液、安定化液の各処理液が個別に充填された複数の処理液槽５と、この処理液槽５内に搭載されてフィルムＦを搬送する搬送ユニット５０とが備えられている。
【００１６】
処理液槽５は、図２に示すように、フィルムＦの現像処理を行う処理タンク５１と、その処理タンク５１における上部の側方に位置して所謂調整槽として機能するサブタンク５２とから構成され、処理タンク５１とサブタンク５２とは流通可能となっている。
【００１７】
サブタンク５２の内底部と処理タンク５１の内底部とは、循環管路５３で接続され、この循環管路５３の途中に設けた循環ポンプ５４の駆動により、処理タンク５１とサブタンク５２との間で処理液を循環させるようにしている。
【００１８】
また処理液槽５には、蒸発等で失われた水分をサブタンク５２に補充するための補水装置５４と、サブタンク５２内に処理液を補充するための処理液補充装置５５とが搭載されている。
【００１９】
補水装置５４は、補水タンク５４ａと、サブタンク５２への補水ラインを形成する補水流路５４ｂと、この補水流路５４ｂの途中に介装した補水ポンプ５４ｃ及び流量計５４ｄとから構成されている。
【００２０】
処理液補充装置５５は、補充タンク５５ａと、サブタンク５２への補充ラインを形成する補充流路５５ｂと、この補充流路５５ｂの途中に介装した補充ポンプ５５ｃ及び流量計５５ｄとから構成されている。
【００２１】
処理液槽５のサブタンク５２には、処理液槽５内に貯留する処理液の液面レベルを検出するためのフロート式の液面検出器６とが設けられている。
【００２２】
この液面検出器６は、ガイド部材６１と、処理液の液面レベルの上下に応じてガイド部材６１に沿って上下移動する上下一対のフロート６２ａ・６２ｂと、ガイド部材６１内に設けられて、フロート６２ａ・６２ｂ内に埋め込まれた磁石６３ａ・６３ｂにより検知信号を生成する上下一対のリードスイッチ６４ａ・６４ｂと、処理液の温度を検出するためのサーマルスイッチ６５とが備えられている。
【００２３】
上側のリードスイッチ６４ａは、液面レベルの上限を検知するためのものであり、また下側のリードスイッチ６４ｂは、液面レベルの下限を検知するためのものである。
【００２４】
そして以上の実施形態に示すガイド部材６１は、円筒状を呈しており、サブタンク５２の底壁５２ａに一体形成されて、サブタンク５２内において底壁５２ａ上面に立設しているのであって、このガイド部材６１は、その内部に後記する基板６６を収容するための収容室６１ａが設けられて、その上端部は閉鎖される共に、下端部にはサブタンク５２の底壁５２ａ下面に開口する挿入口６１ｂが設けられている。
【００２５】
またガイド部材６１は、図３にも示すように、その下端部が一回り大きく形成されることで、その外周に段部６１ｃが設けられ、ガイド部材６１の上端部から遊挿される下部側のフロート６２ｂをこの段部６１ｃで受け止めるようにしている。
【００２６】
またガイド部材６１の長さ方向中間部の外周と上端部の外周には、Ｅリング６１ｄ・６１ｅが嵌められるようにして、これらＥリング６１ｄ・６１ｅによりフロート６２ａ・６２ｂがガイド部材６１から抜け外れないようにすると共に、ガイド部材６１に対する各フロート６２ａ・６２ｂの上限位置を決めている。
【００２７】
また上下一対のリードスイッチ６４ａ・６４ｂ及びサーマルスイッチ６５は、基板６６上に実装されており、これら各スイッチ６４ａ・６４ｂ・６５は基板６６の下端部から延びるリード線６７を介してコントローラ６８に接続されるようにしている。
【００２８】
そして以上の基板６６は、サブタンク５２の底に開口する挿入口６１ｂからガイド部材６１内の収容室６１ａに収容すると共に、その下端部をサブタンク５２の底壁５２ａに突設した取り付けブラケット５２ｂに止め具の一例としての雄螺子６９で固定するようにしている。
【００２９】
以上の構成からなる現像処理装置では、サブタンク５２に液面検出器６を搭載するには、先ず、基板６６をサブタンク５２の底側から挿入口６１ｂを介して収容室６１ａ内に挿入すると共に、その下端部を取り付けブラケット５２ｂに雄螺子６９で固定する。
【００３０】
次にガイド部材６１にその上方から下側フロート６２ｂを遊挿して、ガイド部材６１における長さ方向中間部の外周にＥリング６１ｅを嵌め、次に上側フロート６２ａをガイド部材６１にその上方から遊挿して、ガイド部材６１における長さ方向上端部の外周にＥリング６１ｄを嵌めればよいのである。
【００３１】
斯くして以上の構造からなる現像処理装置では、例えば液面検出器６のリードスイッチ６４ａまたは６４ｂ若しくはサーマルスイッチ６５が故障した場合には、このリードスイッチ６４ａなどが実装された基板６６を取り外して、別の基板６６と交換するだけでよく、また例えばフロート６２ａが破損した場合でも、Ｅリング６１ｄを取り外して、ガイド部材６１から破損したフロート６２ａを抜き取って、替わりのフロートをガイド部材６１に取り付けるだけで良く、従来のようにユニットされている液面検出器全体を交換する場合に比べて、コストが安くなるのである。
【００３２】
また以上の現像処理装置では、液面検出器６を構成するガイド部材６１がサブタンク５２の底壁５２ａに一体形成されているので、液面検出器６の現像処理装置への取り付けに際して、基板６６を取り付けブラケット５２ｂに止めるだけでよく、従って、液面検出器６のサブタンク５２への取り付けが簡単且つ容易に行なえるし、従来のように機種ごとに取り付け部材を用意する必要も無く、それだけ部品点数が少なくなって、部品等の在庫管理が行い易くなる。
【００３３】
斯くして、以上の現像処理装置では、リードスイッチ６４ａ・６４ｂ及びサーマルスイッチのガイド部材６１への装填が簡単に行なえて、処理液の液面高さ及び温度をも容易に検出することが出来る。
【００３４】
以上の実施形態では、フィルムの現像処理装置に本発明を適用したが、これに限定されるものではなく、例えば印画紙の現像処理装置に本発明を適用してもよい。
【００３５】
また以上の実施形態では、サブタンク５２の底壁５２ａにガイド部材６１を一体形成したが、これに限定されるものではなく、ガイド部材６１を別途形成して、このガイド部材６１をサブタンクの５２の底壁５２ａなどに固着してもよい。
【００３６】
また以上の実施形態では、処理液槽５のサブタンク５２に本発明を適用したが、これに限定されるものではなく、例えば処理液補充装置５５の補充タンク５５ａに本発明を適用してもよい。
【図面の簡単な説明】
【００３７】
【図１】本発明にかかる現像処理装置の説明図。
【図２】本発明にかかる現像処理装置の要部の説明図。
【図３】液面検出器が搭載されたサブタンクの断面図。
【符号の説明】
【００３８】
１      現像処理装置
３      現像処理部
５      処理液槽
５１    処理タンク
５２    サブタンク
６      液面検出器
６１    ガイド部材
６１ａ  収容室
６１ｂ  挿入口
６２ａ・６２ｂ  フロート
６４ａ・６４ｂ  リードスイッチ
６５    サーマルスイッチ
６６    基板
６９    雄螺子（止め具）
【図１】
2005274637.tif 000003
【図２】
2005274637.tif 000004
【図３】
2005274637.tif 000005